【手続補正書】
【提出日】平成17年10月5日(2005.10.5)
【手続補正１】
【補正対象書類名】明細書
【補正対象項目名】発明の名称
【補正方法】変更
【補正の内容】
【発明の名称】情報処理システム、情報処理装置、電子機器、ポータル装置、サーバ装置、第二情報処理装置、及び情報処理方法
【手続補正２】
【補正対象書類名】明細書
【補正対象項目名】特許請求の範囲
【補正方法】変更
【補正の内容】
【特許請求の範囲】
【請求項１】 各々ネットワークで接続され得る電子機器と情報処理装置とサーバ装置とポータル装置を有する情報処理システムであって、
前記電子機器は、
前記情報処理装置からのアクセスにより動作する動作部を具備し、
前記情報処理装置は、
ユーザを識別する情報であるユーザ識別情報を有するアクセス命令の入力を受け付けるアクセス命令受付部と、
前記ポータル装置にアクセスするための情報であるポータル装置アクセス情報を格納しているポータル装置アクセス情報格納部と、
前記アクセス命令受付部がアクセス命令の入力を受け付けた場合に、前記ポータル装置アクセス情報によりアクセス可能な前記ポータル装置に前記アクセス命令を送信し、１以上の電子機器を制御する画面を構成するための情報である機器制御画面情報を、前記アクセス命令が有するユーザ識別情報に基づいて前記ポータル装置から取得する機器制御画面情報取得部と、
前記機器制御画面情報から機器を制御する画面である機器制御画面を構成し、出力する機器制御画面出力部と、
前記機器制御画面の出力に対応する入力を受け付ける機器制御入力受付部と、
前記機器制御入力受付部で受け付けた入力に対応して電子機器にアクセスする電子機器アクセス部を具備し、
前記サーバ装置は、
電子機器にアクセスするために必要な情報である電子機器アクセス情報と電子機器の名称を示す情報であるニックネームと電子機器識別子とユーザ識別情報を有する機器制御情報を１以上有する機器制御画面情報を格納している機器制御画面情報格納部と、
前記ポータル装置を経由した情報処理装置からのアクセスに基づいて、前記機器制御画面情報格納部が格納している１以上の機器制御情報を選択し、当該選択した１以上の機器制御情報を有する機器制御画面情報を前記ポータル装置に送信する機器制御画面情報送信部を具備し、
前記ポータル装置は、
前記サーバ装置にアクセスするための情報であるサーバ装置アクセス情報を格納しているサーバ装置アクセス情報格納部と、
前記情報処理装置から前記アクセス命令を受信するアクセス命令受信部と、
前記アクセス命令受信部が前記アクセス命令を受信した場合に、前記サーバ装置アクセス情報に基づいて前記サーバ装置にアクセスし、前記アクセス命令が有するユーザ識別情報に対応する１以上の機器制御情報を有する機器制御画面情報を前記サーバ装置から受信し、当該機器制御画面情報を前記情報処理装置に送信する機器制御画面情報中継部を具備する情報処理システム。
【請求項２】 各々ネットワークで接続され得る電子機器と情報処理装置と２以上のサーバ装置とポータル装置を有する情報処理システムであって、
前記電子機器は、
前記情報処理装置からのアクセスにより動作する動作部を具備し、
前記情報処理装置は、
ユーザを識別する情報であるユーザ識別情報を有するアクセス命令の入力を受け付けるアクセス命令受付部と、
前記ポータル装置にアクセスするための情報であるポータル装置アクセス情報を格納しているポータル装置アクセス情報格納部と、
前記アクセス命令受付部がアクセス命令の入力を受け付けた場合に、前記ポータル装置アクセス情報によりアクセス可能な前記ポータル装置に前記アクセス命令を送信し、１以上の電子機器を制御する画面を構成するための情報である機器制御画面情報を、前記アクセス命令が有するユーザ識別情報に基づいて前記ポータル装置から取得する機器制御画面情報取得部と、
前記機器制御画面情報から機器を制御する画面である機器制御画面を構成し、出力する機器制御画面出力部と、
前記機器制御画面の出力に対応する入力を受け付ける機器制御入力受付部と、
前記機器制御入力受付部で受け付けた入力に対応して電子機器にアクセスする電子機器アクセス部を具備し、
前記サーバ装置は、
電子機器にアクセスするために必要な情報である電子機器アクセス情報と電子機器の名称を示す情報であるニックネームと電子機器識別子とユーザ識別情報を有する機器制御情報を１以上有する機器制御画面情報を格納している機器制御画面情報格納部と、
前記ポータル装置を経由した情報処理装置からのアクセスに基づいて、前記機器制御画面情報格納部が格納している１以上の機器制御情報を選択し、当該選択した１以上の器制御情報を有する機器制御画面情報を前記ポータル装置に送信する機器制御画面情報送信部を具備し、
前記ポータル装置は、
前記２以上のサーバ装置にアクセスするための情報であるサーバ装置アクセス情報を格納しているサーバ装置アクセス情報格納部と、
前記情報処理装置から前記アクセス命令を受信するアクセス命令受信部と、
前記アクセス命令受信部が前記アクセス命令を受信した場合に、前記サーバ装置アクセス情報に基づいて前記２以上のサーバ装置にアクセスし、前記アクセス命令が有するユーザ識別情報に対応する１以上の機器制御情報を有する機器制御画面情報を１以上のサーバ装置から受信し、当該機器制御画面情報を前記情報処理装置に送信する機器制御画面情報中継部を具備する情報処理システム。
【請求項３】 前記ユーザ識別情報は、電子メールアドレスを含む情報である請求項１または請求項２記載の情報処理システム。
【請求項４】 前記アクセス命令は、ユーザ識別情報に加えてパスワードも含み、
前記ポータル装置または前記サーバ装置で認証処理を行い、認証許可の結果である場合のみ、情報処理装置は電子機器にアクセス可能である請求項１から請求項３いずれか記載の情報処理システム。
【請求項５】 前記電子機器は、
前記サーバ装置にアクセスするための情報であるサーバ装置アクセス情報を格納している第二サーバ装置アクセス情報格納部と、
ネットワークに接続された場合に、電子機器アクセス情報を含む電子機器情報を、前記第二サーバ装置アクセス情報格納部が格納しているサーバ装置アクセス情報でアクセス可能なサーバ装置に送信する電子機器情報送信部をさらに具備し、
前記サーバ装置は、
前記電子機器情報を受信する電子機器情報受信部と、
前記電子機器情報受信部で受信した電子機器情報を前記機器制御画面情報格納部に蓄積する電子機器情報蓄積部をさらに具備する請求項１から請求項４いずれか記載の情報処理システム。
【請求項６】 第二情報処理装置をさらに具備し、
前記第二情報処理装置は、
前記サーバ装置にアクセスするための情報であるサーバ装置アクセス情報を格納している第三サーバ装置アクセス情報格納部と、
ユーザ識別情報を有する登録情報の入力を受け付ける登録情報入力受付部と、
前記登録情報入力受付部が受け付けた登録情報を、前記第三サーバ装置アクセス情報格納部が格納しているサーバ装置アクセス情報でアクセス可能なサーバ装置に送信する登録情報送信部を具備し、
前記サーバ装置は、
前記登録情報を受信する登録情報受信部と、
前記登録情報受信部が受信した登録情報を前記機器制御画面情報格納部に蓄積する登録情報蓄積部をさらに具備する請求項５記載の情報処理システム。
【請求項７】 請求項１から請求項６いずれか記載の情報処理システムを構成する情報処理装置。
【請求項８】 請求項１から請求項６いずれか記載の情報処理システムを構成するポータル装置。
【請求項９】 請求項１から請求項６いずれか記載の情報処理システムを構成するサーバ装置。
【請求項１０】 請求項１から請求項６いずれか記載の情報処理システムを構成する電子機器。
【請求項１１】 請求項６記載の情報処理システムを構成する第二情報処理装置。
【請求項１２】 電子機器と、当該電子機器を制御する画面である機器制御画面を出力し、当該機器制御画面の出力に対応する入力を受け付けて前記電子機器を制御する情報処置装置と、サーバ装置とを具備する情報処理システムを構成する前記サーバ装置であって、
機器制御画面を構成するための情報である機器制御画面情報が格納される機器制御画面情報格納部と、
前記情報処理装置からのアクセスに基づいて、前記機器制御画面情報格納部が格納している機器制御画面情報を送信する機器制御画面情報送信部と、を具備するサーバ装置。
【請求項１３】 前記情報処理装置からのアクセスには、ユーザを識別する情報であるユーザ識別情報が含まれており、
前記機器制御画面情報送信部は、前記アクセスに含まれるユーザ識別情報で制御可能な電子機器を制御する画面の情報である機器制御画面情報を送信する、請求項１２記載のサーバ装置。
【請求項１４】 前記機器制御画面情報は、電子機器にアクセスするために必要な情報である電子機器アクセス情報と、電子機器の名称を示す情報であるニックネームと、電子機器を識別する電子機器識別子と、ユーザを識別する情報であるユーザ識別情報とを有する機器制御情報を１以上有し、
前記機器制御画面情報送信部は、前記機器制御画面情報格納部が格納している機器制御画面情報の有する１以上の機器制御情報を選択し、当該選択した１以上の機器制御情報に含まれる電子機器アクセス情報、ニックネーム、電子機器識別子を少なくとも有する機器制御画面情報を送信する、請求項１２記載のサーバ装置。
【請求項１５】 前記情報処理装置からのアクセスにはユーザ識別情報が含まれており、
前記機器制御画面情報送信部は、前記アクセスに含まれるユーザ識別情報を含む機器制御情報を選択する、請求項１４記載のサーバ装置。
【請求項１６】 ネットワークで接続され得る電子機器を制御する情報処理装置において用いられる情報処理方法であって、
ユーザを識別する情報であるユーザ識別情報を有するアクセス命令の入力を受け付けるアクセス命令受付ステップと、
前記アクセス命令受付ステップでアクセス命令の入力を受け付けた場合に、前記アクセス命令を送信する送信ステップと、
前記送信ステップで送信したアクセス命令が有するユーザ識別情報に対応する１以上の電子機器を制御する画面を構成するための情報である機器制御画面情報を受信する受信ステップと、
前記受信ステップで受信した機器制御画面情報から機器を制御する画面である機器制御画面を構成し、出力する機器制御画面出力ステップと、
前記機器制御画面の出力に対応する入力を受け付ける機器制御入力受付ステップと、
前記機器制御入力受付ステップで受け付けた入力に対応して電子機器を制御する電子機器制御ステップと、を具備する情報処理方法。
【請求項１７】 電子機器と、当該電子機器を制御する画面である機器制御画面を出力し、当該機器制御画面の出力に対応する入力を受け付けて前記電子機器を制御する情報処置装置と、サーバ装置とを具備する情報処理システムを構成する前記サーバ装置において用いられる情報処理方法であって、
機器操作画面を構成するための情報である機器操作画面情報の送信指示を受信する受信ステップと、
前記受信ステップで送信指示を受信した場合に、機器制御画面情報を格納している機器制御画面情報格納部から機器制御画面情報を取得する取得ステップと、
前記取得ステップで取得した機器制御画面情報を送信する送信ステップと、を具備する情報処理方法。
【請求項１８】 前記送信指示にはユーザを識別する情報であるユーザ識別情報が含まれており、
前記取得ステップでは、前記送信指示に含まれるユーザ識別情報で制御可能な電子機器を制御する画面の情報である機器制御画面情報を取得する、請求項１７記載の情報処理方法。
【請求項１９】 電子機器にアクセスするために必要な情報である電子機器アクセス情報を含む電子機器情報を受信する電子機器情報受信ステップと、
前記電子機器情報受信ステップで受信した電子機器情報を前記機器制御画面情報格納部に蓄積する電子機器情報蓄積ステップと、をさらに具備する請求項１７または請求項１８記載の情報処理方法。
【請求項２０】 ユーザ識別情報を少なくとも有する登録情報を受信する登録情報受信ステップと、
前記登録情報受信ステップで受信した登録情報を前記機器制御画面情報格納部に蓄積する登録情報蓄積ステップと、をさらに具備する請求項１９記載の情報処理方法。
【請求項２１】 登録情報を入力するための画面を構成する情報である登録情報入力画面情報の送信を要求する情報である要求情報を受け付ける要求受付ステップと、
前記要求受付ステップで要求情報を受け付けた場合に、登録情報入力画面情報を送信する入力画面情報送信ステップと、をさらに具備する請求項２０記載の情報処理方法。
【請求項２２】 各々ネットワークで接続され得る電子機器と情報処理装置とサーバ装置とポータル装置とを具備する情報処理システムを構成する前記ポータル装置において用いられる情報処理方法であって、
前記情報処理装置から、ユーザを識別する情報であるユーザ識別情報を有するアクセス命令を受信するアクセス命令受信ステップと、
前記アクセス命令受信ステップでアクセス命令を受信した場合に、前記サーバ装置にアクセスするための情報であるサーバ装置アクセス情報を格納しているサーバ装置アクセス情報格納部からサーバ装置アクセス情報を取得する取得ステップと、
前記取得ステップで取得したサーバ装置アクセス情報に基づいて、前記アクセス命令が有するユーザ識別情報に対応する、電子機器を制御する画面を構成するための情報である機器制御画面情報の送信を指示する送信指示を前記サーバ装置に送信する送信指示送信ステップと、
前記送信指示の送信に応じて、前記サーバ装置から機器制御画面情報を受信する機器制御画面情報受信ステップと、
前記機器制御画面情報受信ステップで受信した機器制御画面情報を前記情報処理装置に送信する機器制御画面情報送信ステップと、を具備する情報処理方法。
【請求項２３】 前記情報処理システムは、２以上のサーバ装置を具備しており、
前記サーバ装置アクセス情報は、当該２以上のサーバ装置にアクセスするための情報であり、
前記送信指示送信ステップでは、２以上のサーバ装置に送信指示を送信し、
前記機器制御画面情報受信ステップでは、１以上のサーバ装置から機器制御画面情報を受信する、請求項２２記載の情報処理方法。
【請求項２４】 電子機器と、当該電子機器を制御する画面である機器制御画面を出力し、当該機器制御画面の出力に対応する入力を受け付けて前記電子機器を制御する情報処置装置と、機器制御画面を構成する情報である機器制御画面情報を格納しており、指示に応じて当該機器制御画面情報を送信するサーバ装置と、第二情報処理装置とを具備する情報処理システムを構成する前記第二情報処理装置において用いられる情報処理方法であって、
ユーザ識別情報を少なくとも有する登録情報の入力を受け付ける登録情報入力受付ステップと、
前記登録情報入力受付ステップで受け付けた登録情報を前記サーバ装置に送信する登録情報送信ステップと、を具備する情報処理方法。
【請求項２５】 登録情報を入力するための画面を構成する情報である登録情報入力画面情報の送信を要求する情報である要求情報を前記サーバ装置に送信する要求送信ステップと、
前記要求送信ステップでの送信に応じて、前記サーバ装置から登録情報入力画面情報を受信する入力画面情報受信ステップと、
前記入力画面情報受信ステップで受信した登録情報入力画面情報に基づいて、登録情報入力画面を構成し、出力する入力画面出力ステップと、をさらに具備する、請求項２４記載の情報処理方法。
【請求項２６】 コンピュータに、
ネットワークで接続され得る電子機器を制御する情報処理装置における処理を実行させるためのプログラムであって、
ユーザを識別する情報であるユーザ識別情報を有するアクセス命令の入力を受け付けるアクセス命令受付ステップと、
前記アクセス命令受付ステップでアクセス命令の入力を受け付けた場合に、前記アクセス命令を送信する送信ステップと、
前記送信ステップで送信したアクセス命令が有するユーザ識別情報に対応する１以上の電子機器を制御する画面を構成するための情報である機器制御画面情報を受信する受信ステップと、
前記受信ステップで受信した機器制御画面情報から機器を制御する画面である機器制御画面を構成し、出力する機器制御画面出力ステップと、
前記機器制御画面の出力に対応する入力を受け付ける機器制御入力受付ステップと、
前記機器制御入力受付ステップで受け付けた入力に対応して電子機器を制御する電子機器制御ステップと、を実行させるためのプログラム。
【請求項２７】 コンピュータに、
電子機器と、当該電子機器を制御する画面である機器制御画面を出力し、当該機器制御画面の出力に対応する入力を受け付けて前記電子機器を制御する情報処置装置と、サーバ装置とを具備する情報処理システムを構成する前記サーバ装置における処理を実行させるためのプログラムであって、
機器操作画面を構成するための情報である機器操作画面情報の送信指示を受信する受信ステップと、
前記受信ステップで送信指示を受信した場合に、機器制御画面情報を格納している機器制御画面情報格納部から機器制御画面情報を取得する取得ステップと、
前記取得ステップで取得した機器制御画面情報を送信する送信ステップと、を実行させるためのプログラム。
【請求項２８】 前記送信指示にはユーザを識別する情報であるユーザ識別情報が含まれており、
前記取得ステップでは、前記送信指示に含まれるユーザ識別情報で制御可能な電子機器を制御する画面の情報である機器制御画面情報を取得する、請求項２７記載のプログラム。
【請求項２９】 コンピュータに、
電子機器にアクセスするために必要な情報である電子機器アクセス情報を含む電子機器情報を受信する電子機器情報受信ステップと、
前記電子機器情報受信ステップで受信した電子機器情報を前記機器制御画面情報格納部に蓄積する電子機器情報蓄積ステップと、をさらに実行させるための請求項２７または請求項２８記載のプログラム。
【請求項３０】 コンピュータに、
ユーザ識別情報を少なくとも有する登録情報を受信する登録情報受信ステップと、
前記登録情報受信ステップで受信した登録情報を前記機器制御画面情報格納部に蓄積する登録情報蓄積ステップと、をさらに実行させるための請求項２９記載のプログラム。
【請求項３１】 コンピュータに、
登録情報を入力するための画面を構成する情報である登録情報入力画面情報の送信を要求する情報である要求情報を受け付ける要求受付ステップと、
前記要求受付ステップで要求情報を受け付けた場合に、登録情報入力画面情報を送信する入力画面情報送信ステップと、をさらに実行させるための請求項３０記載のプログラム。
【請求項３２】 コンピュータに、
各々ネットワークで接続され得る電子機器と情報処理装置とサーバ装置とポータル装置とを具備する情報処理システムを構成する前記ポータル装置における処理を実行させるためのプログラムであって、
前記情報処理装置から、ユーザを識別する情報であるユーザ識別情報を有するアクセス命令を受信するアクセス命令受信ステップと、
前記アクセス命令受信ステップでアクセス命令を受信した場合に、前記サーバ装置にアクセスするための情報であるサーバ装置アクセス情報を格納しているサーバ装置アクセス情報格納部からサーバ装置アクセス情報を取得する取得ステップと、
前記取得ステップで取得したサーバ装置アクセス情報に基づいて、前記アクセス命令が有するユーザ識別情報に対応する、電子機器を制御する画面を構成するための情報である機器制御画面情報の送信を指示する送信指示を前記サーバ装置に送信する送信指示送信ステップと、
前記送信指示の送信に応じて、前記サーバ装置から機器制御画面情報を受信する機器制御画面情報受信ステップと、
前記機器制御画面情報受信ステップで受信した機器制御画面情報を前記情報処理装置に送信する機器制御画面情報送信ステップと、を実行させるためのプログラム。
【請求項３３】 前記情報処理システムは、２以上のサーバ装置を具備しており、
前記サーバ装置アクセス情報は、当該２以上のサーバ装置にアクセスするための情報であり、
前記送信指示送信ステップでは、２以上のサーバ装置に送信指示を送信し、
前記機器制御画面情報受信ステップでは、１以上のサーバ装置から機器制御画面情報を受信する、請求項３２記載のプログラム。
【請求項３４】 コンピュータに、
電子機器と、当該電子機器を制御する画面である機器制御画面を出力し、当該機器制御画面の出力に対応する入力を受け付けて前記電子機器を制御する情報処置装置と、機器制御画面を構成する情報である機器制御画面情報を格納しており、指示に応じて当該機器制御画面情報を送信するサーバ装置と、第二情報処理装置とを具備する情報処理システムを構成する前記第二情報処理装置における処理を実行させるためのプログラムであって、
ユーザ識別情報を少なくとも有する登録情報の入力を受け付ける登録情報入力受付ステップと、
前記登録情報入力受付ステップで受け付けた登録情報を前記サーバ装置に送信する登録情報送信ステップと、を実行させるためのプログラム。
【請求項３５】 コンピュータに、
登録情報を入力するための画面を構成する情報である登録情報入力画面情報の送信を要求する情報である要求情報を前記サーバ装置に送信する要求送信ステップと、
前記要求送信ステップでの送信に応じて、前記サーバ装置から登録情報入力画面情報を受信する入力画面情報受信ステップと、
前記入力画面情報受信ステップで受信した登録情報入力画面情報に基づいて、登録情報入力画面を構成し、出力する入力画面出力ステップと、をさらに実行させるための請求項３４記載のプログラム。
【手続補正３】
【補正対象書類名】明細書
【補正対象項目名】００８８
【補正方法】変更
【補正の内容】
【００８８】
（ステップＳ１３０４）電子機器情報送信部１２５０２は、ステップＳ１３０３で取得したサーバ装置アクセス情報で識別されるサーバ装置１２３に、ステップＳ１３０２で取得した電子機器識別子を有する電子機器情報を送信する。なお、電子機器識別子を有する電子機器情報は、まず、ルーター１４に送信され、電子機器１２５にアクセスするための情報を構成し、当該電子機器１２５にアクセスするための情報（電子機器アクセス情報）がサーバ装置１２３に送信される。
【手続補正４】
【補正対象書類名】明細書
【補正対象項目名】００８９
【補正方法】変更
【補正の内容】
【００８９】
なお、図１３のフローチャートにおいて、電子機器識別子を送信することが必須でない。例えば、情報処理装置１１が空のパケットをルーター１４に送信し、ルーター１４が情報処理装置１１にアクセスするための電子機器アクセス情報を構成し、サーバ装置１２３に送信しても良い。電子機器アクセス情報は、例えば、ルーター１４のグローバルＩＰアドレスとポート番号から構成される。